(57)【特許請求の範囲】
【請求項１】
データを格納するデータ格納手段と、
当該データ格納手段に格納されているデータのデータリストを生成するリスト生成手段と、
当該リスト生成手段により生成されたデータリストを受信側移動機に送信するリスト送信手段と、
前記受信側移動機からの要求に応じて、前記リスト送信手段により送信されたデータリストの中から、受信側移動機における互換性を基に選択されたデータを、前記データ格納手段から抽出するデータ抽出手段と、
前記データ抽出手段により抽出されたデータを前記受信側移動機に送信するデータ送信手段と
を備えることを特徴とする送信側移動機。
【請求項２】
請求項１に記載の送信側移動機から前記データリストを受信するリスト受信手段と、
前記受信側移動機におけるデータ互換性を判定するためのチェックリストを格納するリスト格納手段と、
前記リスト受信手段により受信されたデータリストと、前記リスト格納手段に格納されているチェックリストとを照合して、前記受信側移動機におけるデータ互換性を有するデータを選択するデータ選択手段と、
前記データ選択手段により選択されたデータを、前記送信側移動機から受信するデータ受信手段と
を備えることを特徴とする受信側移動機。
【請求項３】
前記データリストは、データ容量に関する情報を含み、
前記データ選択手段は、前記データリストに含まれるデータ容量に関する情報に基づいて、前記送信側移動機に対して送信を要求するデータを選択することを特徴とする請求項２に記載の受信側移動機。
【請求項４】
前記データリストは、画像データに関する情報を含み、
前記データ選択手段は、前記データリストに含まれる画像データに関する情報を参照して、前記送信側移動機に対して送信を要求するデータを選択することを特徴とする請求項２に記載の受信側移動機。
【請求項５】
前記データリストは、音楽データに関する情報を含み、
前記データ選択手段は、前記データリストに含まれる音楽データに関する情報を参照して、前記送信側移動機に対して送信を要求するデータを選択することを特徴とする請求項２に記載の受信側移動機。
【請求項６】
前記データリストは、前記送信側移動機に関する情報を含み、
前記データ選択手段は、前記データリストに含まれる送信側移動機に関する情報を参照して、前記送信側移動機に対して送信を要求するデータを選択することを特徴とする請求項２に記載の受信側移動機。
【請求項７】
前記チェックリストは、前記受信側移動機に関する情報を含み、
前記データ選択手段は、前記チェックリストに含まれる受信側移動機に関する情報を参照して、前記送信側移動機に対して送信を要求するデータを選択することを特徴とする請求項２に記載の受信側移動機。
【請求項８】
請求項１に記載の送信側移動機と請求項２に記載の受信側移動機とを備えて構成され、前記送信側移動機と前記受信側移動機間においてデータの送受信を行う情報通信システム。
【請求項９】
送信側移動機と受信側移動機間でデータの送受信を行う情報通信方法において、
前記送信側移動機が、データ格納手段に格納されているデータのデータリストを生成するリスト生成工程と、
前記送信側移動機が、当該リスト生成工程にて生成されたデータリストを前記受信側移動機に送信するリスト送信工程と、
前記受信側移動機が、前記リスト送信工程にて前記送信側移動機から前記データリストを受信するリスト受信工程と、
前記受信側移動機が、前記リスト受信工程にて受信されたデータリストと、前記受信側移動機におけるデータ互換性を判定するためのチェックリストとを照合して、前記受信側移動機におけるデータ互換性を有するデータを選択するデータ選択工程と、
前記送信側移動機が、前記受信側移動機からの要求に応じて、前記リスト送信工程にて送信されたデータリストの中から、前記受信側移動機における互換性を基に選択されたデータを、前記データ格納手段から抽出するデータ抽出工程と、
前記送信側移動機が、前記データ抽出工程にて抽出されたデータを前記受信側移動機に送信するデータ送信工程と、
前記受信側移動機が、前記データ送信工程にて送信されたデータを、前記送信側移動機から受信するデータ受信工程と
を含むことを特徴とする情報通信方法。
【請求項１０】
前記データリストは、データ容量に関する情報を含み、
前記データ選択工程にて、前記データリストに含まれるデータ容量に関する情報に基づいて、前記送信側移動機に対して送信を要求するデータを選択することを特徴とする請求項９に記載の情報通信方法。
【請求項１１】
前記データリストは、画像データに関する情報を含み、
前記データ選択工程にて、前記データリストに含まれる画像データに関する情報を参照して、前記送信側移動機に対して送信を要求するデータを選択することを特徴とする請求項９に記載の情報通信方法。
【請求項１２】
前記データリストは、音楽データに関する情報を含み、
前記データ選択工程にて、前記データリストに含まれる音楽データに関する情報を参照して、前記送信側移動機に対して送信を要求するデータを選択することを特徴とする請求項９に記載の情報通信方法。
【請求項１３】
前記データリストは、前記送信側移動機に関する情報を含み、
前記データ選択工程にて、前記データリストに含まれる前記送信側移動機に関する情報を参照して、前記送信側移動機に対して送信を要求するデータを選択することを特徴とする請求項９に記載の情報通信方法。
【請求項１４】
前記チェックリストは、前記受信側移動機に関する情報を含み、
前記データ選択工程にて、前記チェックリストに含まれる受信側移動機に関する情報を参照して、前記送信側移動機に対して送信を要求するデータを選択することを特徴とする請求項９に記載の情報通信方法。
【請求項１５】
データを格納するデータ格納手段と、
当該データ格納手段に格納されているデータのデータリストを生成するリスト生成手段と、
当該リスト生成手段により生成されたデータリストをサーバ装置に送信するリスト送信手段と、
前記リスト送信手段により送信されたデータリストの中から、受信側移動機における互換性を基に選択されたデータを、前記データ格納手段から抽出するデータ抽出手段と、
前記データ抽出手段により抽出されたデータを前記サーバ装置に送信するデータ送信手段と
を備えることを特徴とする送信側移動機。
【請求項１６】
請求項１５に記載の送信側移動機から前記サーバ装置経由で送信された前記データリストを受信するリスト受信手段と、
前記受信側移動機におけるデータ互換性を判定するためのチェックリストを格納するリスト格納手段と、
前記リスト受信手段により受信されたデータリストと、前記リスト格納手段に格納されているチェックリストとを照合して、前記受信側移動機におけるデータ互換性を有するデータを選択するデータ選択手段と、
前記データ選択手段により選択されたデータを、前記サーバ装置から受信するデータ受信手段と
を備えることを特徴とする受信側移動機。
【請求項１７】
請求項１５に記載の送信側移動機と請求項１６に記載の受信側移動機との間でデータの送受信を行うサーバ装置において、
前記送信側移動機のデータ送信手段から送信されたデータを受信するデータ受信手段と、
前記受信側移動機からの要求に応じて、前記データ受信手段によって受信されたデータの中から、前記受信側移動機に送信するデータを抽出するデータ抽出手段と、
前記データ抽出手段により抽出されたデータを、前記受信側移動機に送信するデータ送信手段と
を備えることを特徴とするサーバ装置。
【請求項１８】
前記データ受信手段によって受信されたデータを、前記受信側移動機におけるデータ互換性を有するデータに変換又は加工するデータ変換手段、を更に備え、
前記データ抽出手段は、前記データ変換手段によって変換又は加工されたデータの中から、前記受信側移動機に送信するデータを抽出することを特徴とする請求項１７に記載のサーバ装置。
【請求項１９】
請求項１５に記載の送信側移動機と請求項１６に記載の受信側移動機と請求項１７に記載のサーバ装置とを備えて構成され、前記送信側移動機と前記サーバ装置間、及び前記サーバ装置と前記受信側移動機間においてデータの送受信を行う情報通信システム。
【請求項２０】
送信側移動機がサーバ装置との間でデータの送受信を行う情報通信方法において、
前記送信側移動機が、データ格納手段に格納されているデータのデータリストを生成するリスト生成工程と、
前記送信側移動機が、当該リスト生成工程にて生成されたデータリストを前記サーバ装置に送信するリスト送信工程と、
前記送信側移動機が、前記リスト送信工程にて送信されたデータリストの中から、受信側移動機における互換性を基に選択されたデータを、前記データ格納手段から抽出するデータ抽出工程と、
前記送信側移動機が、前記データ抽出工程にて抽出されたデータを前記サーバ装置に送信するデータ送信工程と
を含むことを特徴とする情報通信方法。
【請求項２１】
受信側移動機がサーバ装置との間でデータの送受信を行う情報通信方法において、
前記受信側移動機が、請求項１５に記載の送信側移動機から前記サーバ装置経由で送信された前記データリストを受信するリスト受信工程と、
前記受信側移動機が、前記リスト受信工程にて受信されたデータリストと、前記受信側移動機におけるデータ互換性を判定するためのチェックリストとを照合して、前記受信側移動機におけるデータ互換性を有するデータを選択するデータ選択工程と、
前記受信側移動機が、前記データ選択工程にて選択されたデータを前記サーバ装置から受信するデータ受信工程と
を含むことを特徴とする情報通信方法。
【請求項２２】
サーバ装置が、請求項１５に記載の送信側移動機と請求項１６に記載の受信側移動機との間でデータの送受信を行う情報通信方法において、
前記サーバ装置が、前記送信側移動機から送信されたデータを受信するデータ受信工程と、
前記サーバ装置が、前記受信側移動機からの要求に応じて、前記データ受信工程にて受信されたデータの中から、前記受信側移動機に送信するデータを抽出するデータ抽出工程と
前記サーバ装置が、前記データ抽出工程にて抽出されたデータを、前記受信側移動機に送信するデータ送信工程と
を含むことを特徴とする情報通信方法。
【請求項２３】
前記サーバ装置が、前記データ受信工程にて受信されたデータを、前記受信側移動機におけるデータ互換性を有するデータに変換又は加工するデータ変換工程、を更に含み、
前記サーバ装置が、前記データ抽出工程にて、前記データ変換工程にて変換又は加工されたデータの中から、前記受信側移動機に送信するデータを抽出することを特徴とする請求項２２に記載の情報通信方法。
【請求項２４】
請求項１５に記載の送信側移動機と請求項１６に記載の受信側移動機との間でデータの送受信を行うサーバ装置において、
前記送信側移動機からデータリストを受信するリスト受信手段と、
前記受信側移動機におけるデータ互換性を判定するためのチェックリストを格納するリスト格納手段と、
前記リスト受信手段により受信されたデータリストと、前記リスト格納手段に格納されているチェックリストとを照合して、前記受信側移動機におけるデータ互換性を有するデータを選択するデータ選択手段と、
前記データ選択手段により選択されたデータを、前記送信側移動機から受信するデータ受信手段と、
前記データ受信手段によって受信されたデータの中から、前記受信側移動機に送信するデータを抽出するデータ抽出手段と、
前記データ抽出手段により抽出されたデータを、前記受信側移動機に送信するデータ送信手段と
を備えることを特徴とするサーバ装置。
【請求項２５】
前記データ受信手段によって受信されたデータを、前記受信側移動機におけるデータ互換性を有するデータに変換又は加工するデータ変換手段、を更に備え、
前記データ抽出手段は、前記データ変換手段によって変換又は加工されたデータの中から、前記受信側移動機に送信するデータを抽出することを特徴とする請求項２４に記載のサーバ装置。
【請求項２６】
送信側移動機と受信側移動機と請求項２４に記載のサーバ装置とを備えて構成され、前記送信側移動機と前記サーバ装置間、及び前記サーバ装置と前記受信側移動機間においてデータの送受信を行う情報通信システム。
【請求項２７】
サーバ装置が、請求項１５に記載の送信側移動機と請求項１６に記載の受信側移動機との間でデータの送受信を行う情報通信方法において、
前記サーバ装置が、前記送信側移動機からデータリストを受信するリスト受信工程と、
前記サーバ装置が、前記リスト受信工程にて受信されたデータリストと、前記受信側移動機におけるデータ互換性を判定するためのチェックリストとを照合して、前記受信側移動機におけるデータ互換性を有するデータを選択するデータ選択工程と、
前記サーバ装置が、前記データ選択工程にて選択されたデータを、前記送信側移動機から受信するデータ受信工程と、
前記サーバ装置が、前記データ受信工程にて受信されたデータの中から、前記受信側移動機に送信するデータを抽出するデータ抽出工程と、
前記データ抽出工程にて抽出されたデータを、前記受信側移動機に送信するデータ送信工程と
を含むことを特徴とする情報通信方法。
【請求項２８】
前記サーバ装置が、前記データ受信工程にて受信されたデータを、前記受信側移動機におけるデータ互換性を有するデータに変換又は加工するデータ変換工程、を更に含み、
前記サーバ装置が、前記データ抽出工程にて、前記データ変換工程にて変換又は加工されたデータの中から、前記受信側移動機に送信するデータを抽出することを特徴とする請求項２７に記載の情報通信方法。
【請求項２９】
請求項１５に記載の送信側移動機と請求項１６に記載の受信側移動機との間でデータの送受信を行うサーバ装置において、
前記送信側移動機からデータリストを受信するデータリスト受信手段と、
前記受信側移動機におけるデータ互換性を判定するためのチェックリストを前記受信側移動機から受信するチェックリスト受信手段と、
前記データリスト受信手段により受信されたデータリストと、前記チェックリスト受信手段により受信されたチェックリストとを照合して、前記受信側移動機におけるデータ互換性を有するデータを選択するデータ選択手段と、
前記データ選択手段により選択されたデータを、前記送信側移動機から受信するデータ受信手段と、
前記データ受信手段によって受信されたデータの中から、前記受信側移動機に送信するデータを抽出するデータ抽出手段と、
前記データ抽出手段により抽出されたデータを、前記受信側移動機に送信するデータ送信手段と
を備えることを特徴とするサーバ装置。
【請求項３０】
前記データ受信手段によって受信されたデータを、前記受信側移動機におけるデータ互換性を有するデータに変換又は加工するデータ変換手段、を更に備え、
前記データ抽出手段は、前記データ変換手段によって変換又は加工されたデータの中から、前記受信側移動機に送信するデータを抽出することを特徴とする請求項２９に記載のサーバ装置。
【請求項３１】
請求項１５に記載の送信側移動機と請求項１６に記載の受信側移動機と請求項２９に記載のサーバ装置とを備えて構成され、前記送信側移動機と前記サーバ装置間、及び前記サーバ装置と前記受信側移動機間においてデータの送受信を行う情報通信システム。
【請求項３２】
サーバ装置が、請求項１５に記載の送信側移動機と請求項１６に記載の受信側移動機との間でデータの送受信を行う情報通信方法において、
前記送信側移動機からデータリストを受信するデータリスト受信工程と、
前記受信側移動機におけるデータ互換性を判定するためのチェックリストを前記受信側移動機から受信するチェックリスト受信工程と、
前記データリスト受信工程にて受信されたデータリストと、前記チェックリスト受信工程にて受信されたチェックリストとを照合して、前記受信側移動機におけるデータ互換性を有するデータを選択するデータ選択工程と、
前記データ選択工程にて選択されたデータを、前記送信側移動機から受信するデータ受信工程と、
前記データ受信工程にて受信されたデータの中から、前記受信側移動機に送信するデータを抽出するデータ抽出工程と、
前記データ抽出工程にて抽出されたデータを、前記受信側移動機に送信するデータ送信工程と
を含むことを特徴とする情報通信方法。
【請求項３３】
前記サーバ装置が、前記データ受信工程にて受信されたデータを、前記受信側移動機におけるデータ互換性を有するデータに変換又は加工するデータ変換工程、を更に含み、
前記サーバ装置が、前記データ抽出工程にて、前記データ変換工程にて変換又は加工されたデータの中から、前記受信側移動機に送信するデータを抽出することを特徴とする請求項３２に記載の情報通信方法。
【発明の詳細な説明】
【０００１】
【発明の属する技術分野】
本発明は、送信側移動機、受信側移動機、情報通信システム、情報通信方法、及びサーバ装置に関する。
【０００２】
【従来の技術】
近年、情報通信技術の発達に伴い、インターネットなどのネットワークを通じて文書や画像などのデータが送受信されている。特に、携帯電話などの移動機では、機種を変更する場合や同一のユーザが複数の移動機を併用する場合などに、アドレス帳やユーザ辞書などのデータを別の移動機に移行させる。これにより、移動機のユーザは、移行先の移動機においても、移行前の移動機で使用していたデータを継続して使用できる。
【０００３】
【発明が解決しようとする課題】
しかし、上記従来技術には、以下に示すような問題点があった。すなわち、パーソナルコンピュータなどの端末装置は、データを送受信する際に有線回線を使用するのに対して、携帯電話などの移動機は、データを送受信する際に無線回線を使用する。したがって、移動機から別の移動機にデータを移行する際に、移行元の移動機に格納されている全てのデータを、移行先の移動機に送信したのでは、送信されるデータ容量が多くなり、莫大な無線リソースを消費してしまう。
【０００４】
そこで本発明は、上記問題点を解決し、移動機間におけるデータの移行を効率よく行うことを可能とする送信側移動機、受信側移動機、情報通信システム、情報通信方法及びサーバ装置を提供することを課題とする。
【０００５】
【課題を解決するための手段】
上記課題を解決するために、本発明に係る送信側移動機は、データを格納するデータ格納手段と、前記データ格納手段に格納されているデータのデータリストを受信側移動機に送信するリスト送信手段と、前記受信側移動機からの要求に応じて、前記リスト送信手段により送信されたデータリストの中から選択されたデータを、前記データ格納手段から抽出するデータ抽出手段と、前記データ抽出手段により抽出されたデータを前記受信側移動機に送信するデータ送信手段とを備えることを特徴としている。
【０００６】
本発明に係る受信側移動機は、上述した送信側移動機からデータリストを受信するリスト受信手段と、前記受信側移動機におけるデータ互換性を判定するためのチェックリストを格納するリスト格納手段と、前記リスト受信手段により受信されたデータリストと、前記リスト格納手段に格納されているチェックリストとを照合して、前記受信側移動機におけるデータ互換性を有するデータを選択するデータ選択手段と、前記データ選択手段により選択されたデータを、前記送信側移動機から受信するデータ受信手段とを備えることを特徴としている。
【０００７】
また、上述した送信側移動機と上述した受信側移動機とを備えて構成され、前記送信側移動機と前記受信側移動機間においてデータの送受信を行う情報通信システムとして構築及び運用してもよい。
【０００８】
本発明に係る情報通信方法は、送信側移動機と受信側移動機間でデータの送受信を行う情報通信方法において、前記送信側移動機が、データ格納手段に格納されているデータのデータリストを前記受信側移動機に送信するリスト送信工程と、前記受信側移動機が、前記リスト送信工程にて前記送信側移動機からデータリストを受信するリスト受信工程と、前記受信側移動機が、前記リスト受信工程にて受信されたデータリストと、前記受信側移動機におけるデータ互換性を判定するためのチェックリストとを照合して、前記受信側移動機におけるデータ互換性を有するデータを選択するデータ選択工程と、前記送信側移動機が、前記受信側移動機からの要求に応じて、前記リスト送信工程にて送信されたデータリストの中から選択されたデータを、前記データ格納手段から抽出するデータ抽出工程と、前記送信側移動機が、前記データ抽出工程にて抽出されたデータを前記受信側移動機に送信するデータ送信工程と、前記受信側移動機が、前記データ送信工程にて送信されたデータを、前記送信側移動機から受信するデータ受信工程とを含むことを特徴としている。
【０００９】
これらの発明によれば、送信側移動機から受信側移動機にデータを移行する際に、データの送信に先立って、送信側移動機に格納されているデータのデータリストが、送信側移動機から受信側移動機に送信される。そして、データの互換性に基づいて受信側移動機により選択されたデータが受信側移動機に送信される。したがって、送信側移動機に格納されている全てのデータを受信側移動機に送信する場合に比べて送信されるデータの容量が少なくなり、使用する無線リソースを低減できる。また、送信側移動機と受信側移動機との間で互換性のないデータが受信側移動機に格納されることがない。その結果、移動機間におけるデータの移行を効率よく行うことが可能となる。
【００１０】
好ましくは、本発明に係る受信側移動機は、前記データリストは、データ容量に関する情報を含み、前記データ選択手段は、前記データリストに含まれるデータ容量に関する情報に基づいて、前記送信側移動機に対して送信を要求するデータを選択する。
【００１１】
好ましくは、本発明に係る情報通信方法は、前記データリストがデータ容量に関する情報を含み、前記データ選択工程にて、前記データリストに含まれるデータ容量に関する情報に基づいて、前記送信側移動機に対して送信を要求するデータを選択する。
【００１２】
これらの発明によれば、受信側移動機は、受信側移動機が格納可能な容量の範囲内にあるデータの送信を送信側移動機に要求するので、受信側移動機は送信側移動機から受信した全てのデータを格納できる。したがって、無駄なデータ送信を行うことなく迅速なデータ移行が可能となる。
【００１３】
好ましくは、本発明に係る受信側移動機は、前記データリストは、画像データに関する情報を含み、前記データ選択手段は、前記データリストに含まれる画像データに関する情報を参照して、前記送信側移動機に対して送信を要求するデータを選択する。
【００１４】
好ましくは、本発明に係る情報通信方法は、前記データリストが画像データに関する情報を含み、前記データ選択工程にて、前記データリストに含まれる画像データに関する情報を参照して、前記送信側移動機に対して送信を要求するデータを選択する。
【００１５】
画像データは、テキストデータに比べて、解像度や色数などの属性に関する情報が多く、データ形式も多様である。このような画像データに関する情報を参照することでデータ互換性の判定が容易かつ精確になり、機種やオペレーティングシステムが異なる移動機間における画像データの移行もスムーズに行うことができる。
【００１６】
好ましくは、本発明に係る受信側移動機は、前記データリストは、音楽データに関する情報を含み、前記データ選択手段は、前記データリストに含まれる音楽データに関する情報を参照して、前記送信側移動機に対して送信を要求するデータを選択する。
【００１７】
好ましくは、本発明に係る情報通信方法は、前記データリストが音楽データに関する情報を含み、前記データ選択工程にて、前記データリストに含まれる音楽データに関する情報を参照して、前記送信側移動機に対して送信を要求するデータを選択する。
【００１８】
音楽データは、テキストデータに比べて、和音数などの属性に関する情報が多く、データ形式も多様である。このような音楽データに関する情報を参照することでデータ互換性の判定が容易かつ精確になり、機種やオペレーティングシステムが異なる移動機間における音楽データの移行もスムーズに行うことができる。
【００１９】
好ましくは、本発明に係る受信側移動機は、前記データリストが送信側移動機に関する情報を含み、前記データ選択手段は、前記データリストに含まれる送信側移動機に関する情報を参照して、前記送信側移動機に対して送信を要求するデータを選択する。
【００２０】
好ましくは、本発明に係る情報通信方法は、前記データリストは、送信側移動機に関する情報を含み、前記データ選択工程にて、前記データリストに含まれる送信側移動機に関する情報を参照して、前記送信側移動機に対して送信を要求するデータを選択する。
【００２１】
移動機は、機種やオペレーティングシステムによって、対応可能な解像度、色数、発音数、添付ファイルの数や容量などの制限が多種多様である。このような送信側移動機に関する情報を参照することで、送信側移動機に対応し受信側移動機に対応していない送信不要なデータが、受信側移動機に対して送信されることを未然に防止できる。その結果、機種やオペレーティングシステムが異なる移動機間におけるデータの移行もスムーズに行うことができる。
【００２２】
好ましくは、本発明に係る受信側移動機は、前記チェックリストは前記受信側移動機に関する情報を含み、前記データ選択手段は、前記チェックリストに含まれる受信側移動機に関する情報を参照して、前記送信側移動機に対して送信を要求するデータを選択する。
【００２３】
好ましくは、本発明に係る情報通信方法は、前記チェックリストは前記受信側移動機に関する情報を含み、前記データ選択工程にて、前記チェックリストに含まれる受信側移動機に関する情報を参照して、前記送信側移動機に対して送信を要求するデータを選択する。
【００２４】
移動機は、機種やオペレーティングシステムによって、対応可能な解像度、色数、発音数、添付ファイルの数や容量などの制限が多種多様である。このような受信側移動機に関する情報を参照することで、受信側移動機に対応していない送信不要なデータが、受信側移動機に対して送信されることを未然に防止できる。その結果、機種やオペレーティングシステムが異なる移動機間におけるデータの移行もスムーズに行うことができる。
【００２５】
本発明に係る送信側移動機は、データを格納するデータ格納手段と、前記データ格納手段に格納されているデータのデータリストをサーバ装置に送信するリスト送信手段と、前記リスト送信手段により送信されたデータリストの中から選択されたデータを、前記データ格納手段から抽出するデータ抽出手段と、前記データ抽出手段により抽出されたデータを前記サーバ装置に送信するデータ送信手段とを備えることを特徴としている。
【００２６】
本発明に係る受信側移動機は、サーバ装置からデータリストを受信するリスト受信手段と、前記受信側移動機におけるデータ互換性を判定するためのチェックリストを格納するリスト格納手段と、前記リスト受信手段により受信されたデータリストと、前記リスト格納手段に格納されているチェックリストとを照合して、前記受信側移動機におけるデータ互換性を有するデータを選択するデータ選択手段と、前記データ選択手段により選択されたデータを、前記サーバ装置から受信するデータ受信手段とを備えることを特徴としている。
【００２７】
本発明に係るサーバ装置は、上述した送信側移動機と上述した受信側移動機との間でデータの送受信を行うサーバ装置において、前記送信側移動機のデータ送信手段から送信されたデータを受信するデータ受信手段と、前記受信側移動機からの要求に応じて、前記データ受信手段によって受信されたデータの中から、前記受信側移動機に送信するデータを抽出するデータ抽出手段と、前記データ抽出手段により抽出されたデータを前記受信側移動機に送信するデータ送信手段とを備えることを特徴としている。
【００２８】
上述した送信側移動機と上述した受信側移動機と上述したサーバ装置とを備えて構成され、前記送信側移動機と前記サーバ装置間、及び前記サーバ装置と前記受信側移動機間においてデータの送受信を行う情報通信システムとして構築及び運用してもよい。
【００２９】
本発明に係る情報通信方法は、送信側移動機がサーバ装置との間でデータの送受信を行う情報通信方法において、前記送信側移動機が、データ格納手段に格納されているデータのデータリストを前記サーバ装置に送信するリスト送信工程と、  前記送信側移動機が、前記リスト送信工程にて送信されたデータリストの中から選択されたデータを、前記データ格納手段から抽出するデータ抽出工程と、前記送信側移動機が、前記データ抽出工程にて抽出されたデータを前記サーバ装置に送信するデータ送信工程とを含むことを特徴としている。
【００３０】
本発明に係る情報通信方法は、受信側移動機がサーバ装置との間でデータの送受信を行う情報通信方法において、前記受信側移動機が、前記サーバ装置からデータリストを受信するリスト受信工程と、前記受信側移動機が、前記リスト受信工程にて受信されたデータリストと、前記受信側移動機におけるデータ互換性を判定するためのチェックリストとを照合して、前記受信側移動機におけるデータ互換性を有するデータを選択するデータ選択工程と、前記受信側移動機が、前記データ選択工程にて選択されたデータを前記サーバ装置から受信するデータ受信工程とを含むことを特徴としている。
【００３１】
本発明に係る情報通信方法は、サーバ装置が、送信側移動機と受信側移動機との間でデータの送受信を行う情報通信方法において、前記サーバ装置が、前記送信側移動機から送信されたデータを受信するデータ受信工程と、前記サーバ装置が、前記受信側移動機からの要求に応じて、前記データ受信工程にて受信されたデータの中から、前記受信側移動機に送信するデータを抽出するデータ抽出工程と、前記データ抽出工程にて抽出されたデータを前記受信側移動機に送信するデータ送信工程とを含むことを特徴としている。
【００３２】
これらの発明によれば、送信側移動機と受信側移動機との間におけるデータの移行は、サーバ装置を経由して行われる。なお、サーバ装置と送信側移動機間、及びサーバ装置と受信側移動機間におけるデータの送受信は、ケーブル、IrDA、Bluetooth（登録商標）、無線LAN等を介して行ってもよいし、各移動機と公衆回線網との間は無線アクセスとし公衆回線網とサーバ装置との間は有線接続されるものとしてもよい。また、例えば、受信側移動機が通信状態にない場合に、サーバ装置にデータを一時的に格納しておき、受信側移動機が通信状態になった後に、格納されているデータを送信すれば、より確実かつ効率的なデータ移行が可能となる。
【００３３】
好ましくは、本発明に係るサーバ装置は、前記データ受信手段によって受信されたデータを、前記受信側移動機におけるデータ互換性を有するデータに変換又は加工するデータ変換手段、を更に備え、前記データ抽出手段は、前記データ変換手段によって変換又は加工されたデータの中から、前記受信側移動機に送信するデータを抽出する。
【００３４】
好ましくは、本発明に係る情報通信方法は、前記サーバ装置が、前記データ受信工程にて受信されたデータを、前記受信側移動機におけるデータ互換性を有するデータに変換又は加工するデータ変換工程、を更に含み、前記サーバ装置が、前記データ抽出工程にて、前記データ変換工程にて変換又は加工されたデータの中から、前記受信側移動機に送信するデータを抽出する。
【００３５】
これらの発明によれば、送信側移動機からサーバ装置に送信されたデータは、必要に応じてサーバ装置において変換又は加工される。すなわち、送信側移動機に格納されていたデータに受信側移動機における互換性がない場合であっても、サーバ装置が当該データを変換又は加工することで、当該データに互換性をもたせることができる。これにより、受信側移動機に対して、より多くのデータを移行できる。その結果、データの移行効率が向上する。
【００３６】
本発明に係るサーバ装置は、送信側移動機と受信側移動機との間でデータの送受信を行うサーバ装置において、前記送信側移動機からデータリストを受信するリスト受信手段と、前記受信側移動機におけるデータ互換性を判定するためのチェックリストを格納するリスト格納手段と、前記リスト受信手段により受信されたデータリストと、前記リスト格納手段に格納されているチェックリストとを照合して、前記受信側移動機におけるデータ互換性を有するデータを選択するデータ選択手段と、前記データ選択手段により選択されたデータを、前記送信側移動機から受信するデータ受信手段と、前記データ受信手段によって受信されたデータの中から、前記受信側移動機に送信するデータを抽出するデータ抽出手段と、前記データ抽出手段により抽出されたデータを前記受信側移動機に送信するデータ送信手段とを備えることを特徴としている。
【００３７】
送信側移動機と受信側移動機と上述したサーバ装置とを備えて構成され、前記送信側移動機と前記サーバ装置間、及び前記サーバ装置と前記受信側移動機間においてデータの送受信を行う情報通信システムとして構築及び運用してもよい。
【００３８】
本発明に係る情報通信方法は、サーバ装置が、送信側移動機と受信側移動機との間でデータの送受信を行う情報通信方法において、前記サーバ装置が、前記送信側移動機からデータリストを受信するリスト受信工程と、前記サーバ装置が、前記リスト受信工程にて受信されたデータリストと、前記受信側移動機におけるデータ互換性を判定するためのチェックリストとを照合して、前記受信側移動機におけるデータ互換性を有するデータを選択するデータ選択工程と、前記サーバ装置が、前記データ選択工程にて選択されたデータを、前記送信側移動機から受信するデータ受信工程と、前記サーバ装置が、前記データ受信工程にて受信されたデータの中から、前記受信側移動機に送信するデータを抽出するデータ抽出工程と、前記データ抽出工程にて抽出されたデータを前記受信側移動機に送信するデータ送信工程とを含むことを特徴としている。
【００３９】
これらの発明によれば、送信側移動機から受信側移動機に移行されるデータが、受信側移動機における互換性を有するか否かの判定をサーバ装置が行う。したがって、当該判定を受信側移動機が行う場合に比べて、データの移行に伴う受信側移動機の処理負荷が軽減される。また、互換性判定機能をもたない受信側移動機に対してもデータを移行できる。
【００４０】
好ましくは、本発明に係るサーバ装置は、前記データ受信手段によって受信されたデータを、前記受信側移動機におけるデータ互換性を有するデータに変換又は加工するデータ変換手段、を更に備え、前記データ抽出手段は、前記データ変換手段によって変換又は加工されたデータの中から、前記受信側移動機に送信するデータを抽出する。
【００４１】
好ましくは、本発明に係る情報通信方法は、前記サーバ装置が、前記データ受信工程にて受信されたデータを、前記受信側移動機におけるデータ互換性を有するデータに変換又は加工するデータ変換工程、を更に含み、前記サーバ装置が、前記データ抽出工程にて、前記データ変換工程にて変換又は加工されたデータの中から、前記受信側移動機に送信するデータを抽出する。
【００４２】
これらの発明によれば、送信側移動機からサーバ装置に送信されたデータは、必要に応じてサーバ装置において変換又は加工される。すなわち、送信側移動機に格納されていたデータに受信側移動機における互換性がない場合であっても、サーバ装置が当該データを変換又は加工することで、当該データに互換性をもたせることができる。これにより、受信側移動機に対して、より多くのデータを移行できる。その結果、データの移行効率が向上する。
【００４３】
本発明に係るサーバ装置は、送信側移動機と受信側移動機との間でデータの送受信を行うサーバ装置において、前記送信側移動機からデータリストを受信するデータリスト受信手段と、前記受信側移動機におけるデータ互換性を判定するためのチェックリストを前記受信側移動機から受信するチェックリスト受信手段と、前記データリスト受信手段により受信されたデータリストと、前記チェックリスト受信手段により受信されたチェックリストとを照合して、前記受信側移動機におけるデータ互換性を有するデータを選択するデータ選択手段と、前記データ選択手段により選択されたデータを、前記送信側移動機から受信するデータ受信手段と、前記データ受信手段によって受信されたデータの中から、前記受信側移動機に送信するデータを抽出するデータ抽出手段と、前記データ抽出手段により抽出されたデータを前記受信側移動機に送信するデータ送信手段とを備えることを特徴としている。
【００４４】
本発明に係る受信側移動機は、上述したサーバ装置とデータの送受信を行う受信側移動機において、チェックリストを格納するチェックリスト格納手段と、前記チェックリスト格納手段に格納されているチェックリストを前記サーバ装置に送信するリスト送信手段とを備えることを特徴としている。
【００４５】
送信側移動機と受信側移動機と上述したサーバ装置とを備えて構成され、前記送信側移動機と前記サーバ装置間、及び前記サーバ装置と前記受信側移動機間においてデータの送受信を行う情報通信システムとして構築及び運用してもよい。
【００４６】
本発明に係る情報通信方法は、サーバ装置が、送信側移動機と受信側移動機との間でデータの送受信を行う情報通信方法において、前記送信側移動機からデータリストを受信するデータリスト受信工程と、前記受信側移動機におけるデータ互換性を判定するためのチェックリストを前記受信側移動機から受信するチェックリスト受信工程と、前記データリスト受信工程にて受信されたデータリストと、前記チェックリスト受信工程にて受信されたチェックリストとを照合して、前記受信側移動機におけるデータ互換性を有するデータを選択するデータ選択工程と、前記データ選択工程にて選択されたデータを、前記送信側移動機から受信するデータ受信工程と、前記データ受信工程にて受信されたデータの中から、前記受信側移動機に送信するデータを抽出するデータ抽出工程と、前記データ抽出工程にて抽出されたデータを前記受信側移動機に送信するデータ送信工程とを含むことを特徴としている。
【００４７】
これらの発明によれば、受信側移動機におけるデータ互換性を判定するためのチェックリストの格納を受信側移動機が行う。したがって、当該格納をサーバ装置が行う場合に比べて、データの移行先として想定される受信側移動機が複数存在する場合に好適である。すなわち、データの移行先として想定される受信側移動機が複数存在する場合には、各受信側移動機の機種やオペレーティングシステムに応じた複数のチェックリストをサーバ装置が格納することになり、検索効率や移行時間の観点から好ましくない。そこで、複数の受信側移動機が、各受信側移動機に対応したチェックリストを格納し、必要に応じて当該チェックリストをサーバ装置に送信することで、このような不都合を解消できる。
【００４８】
好ましくは、本発明に係るサーバ装置は、前記データ受信手段によって受信されたデータを、前記受信側移動機におけるデータ互換性を有するデータに変換又は加工するデータ変換手段、を更に備え、前記データ抽出手段は、前記データ変換手段によって変換又は加工されたデータの中から、前記受信側移動機に送信するデータを抽出する。
【００４９】
好ましくは、本発明に係る情報通信方法は、前記サーバ装置が、前記データ受信工程にて受信されたデータを、前記受信側移動機におけるデータ互換性を有するデータに変換又は加工するデータ変換工程、を更に含み、前記サーバ装置が、前記データ抽出工程にて、前記データ変換工程にて変換又は加工されたデータの中から、前記受信側移動機に送信するデータを抽出する。
【００５０】
これらの発明によれば、送信側移動機からサーバ装置に送信されたデータは、必要に応じてサーバ装置において変換又は加工される。すなわち、送信側移動機に格納されていたデータに受信側移動機における互換性がない場合であっても、サーバ装置が当該データを変換又は加工することで、当該データに互換性をもたせることができる。これにより、受信側移動機に対して、より多くのデータを移行できる。その結果、データの移行効率が向上する。
【００５１】
【発明の実施の形態】
（第１の実施形態）
以下、本発明の第１の実施形態における情報通信システムについて説明する。なお、本情報通信システムは、本発明に係る送信側移動機及び受信側移動機を含むものである。
【００５２】
まず、情報通信システムの構成について説明する。図１は、情報通信システムの構成要素である携帯電話１０のハードウェア構成図である。携帯電話１０は、ＣＰＵ１０ａ、半導体メモリなどのメモリ１０ｂ、携帯電話２０との間でデータの送受信を行う通信装置１０ｃ、操作ボタンなどの入力装置１０ｄ、ＬＣＤ（Liquid Crystal Display）やＥＬ（Electro Luminescence）などの表示装置１０ｅ、マイクやスピーカなどの音声処理装置１０ｆを備えて構成される。ここで、ＣＰＵ１０ａ、メモリ１０ｂ、通信装置１０ｃ、入力装置１０ｄ、表示装置１０ｅ、音声処理装置１０ｆは、それぞれバス１０ｇによって接続されており、相互に通信可能となっている。
【００５３】
また、同じく情報通信システムの構成要素である携帯電話２０のハードウェア構成は、携帯電話１０のハードウェア構成と同様であるので、携帯電話２０の構成要素には、携帯電話１０の構成要素と同列の符号を付し、その図示と詳細な説明は省略する。すなわち、携帯電話２０は、ＣＰＵ２０ａ、メモリ２０ｂ、通信装置２０ｃ、入力装置２０ｄ、表示装置２０ｅ、音声処理装置２０ｆを備えて構成される。また、ＣＰＵ２０ａ、メモリ２０ｂ、通信装置２０ｃ、入力装置２０ｄ、表示装置２０ｅ、音声処理装置２０ｆは、それぞれバス２０ｇによって接続されており、相互に通信可能となっている。
【００５４】
携帯電話１０と携帯電話２０との間におけるコンテンツデータの移行は、例えば、UART(Universal Asynchronous Receiver Transmitter)、IrDA（Infrared Data Association）、Bluetooth（登録商標）等の無線通信を利用した移行の他に、サーバ装置を経由した転送、UIM等の記録媒体を介した移行等任意である。
【００５５】
図２は、情報通信システム１のシステム構成図である。情報通信システム１を構成する携帯電話１０は、携帯電話２０に対してコンテンツデータを送信する送信側移動機である。携帯電話１０は、機能的には、データ格納部１１と、データリスト生成部１２と、データリスト送信部１３と、リクエストリスト受信部１４と、データ抽出部１５と、データ送信部１６とを備えて構成される。ここで、データ格納部１１は、図１に示したメモリ１０ｂに対応する。データリスト生成部１２と、データリスト送信部１３と、リクエストリスト受信部１４と、データ抽出部１５と、データ送信部１６とは、図１に示したメモリ１０ｂに格納されたソフトウェアがＣＰＵ１０ａによって実行されることにより実現する。以下、各構成要素について詳細に説明する。
【００５６】
データ格納部１１（データ格納手段に対応）には、携帯電話２０への送信候補となるコンテンツデータが格納されている。なお、説明の便宜上、データ格納部１１にはコンテンツデータ自体が格納されているものとして説明したが、データ格納部１１にはコンテンツデータの格納箇所を示すポインタが格納され、コンテンツデータ自体は当該ポインタによって示される別の格納箇所に格納されていてもよい。
【００５７】
データリスト生成部１２は、データ格納部１１に格納されているコンテンツデータの一覧をデータリストとして生成する。
データリスト送信部１３（リスト送信手段に対応）は、データリスト生成部１２によって生成されたデータリストを携帯電話２０に対して送信する。
【００５８】
リクエストリスト受信部１４は、後述する携帯電話２０のリクエストリスト送信部２５から送信されるリクエストリストを受信する。
データ抽出部１５（データ抽出手段に対応）は、リクエストリスト受信部１４によって受信されたリクエストリストを参照して、データ格納部１１に格納されているコンテンツデータの中から、携帯電話２０に送信するためのコンテンツデータを選択して抽出する。
データ送信部１６（データ送信手段に対応）は、データ抽出部１５によって抽出されたコンテンツデータを携帯電話２０に対して送信する。
【００５９】
携帯電話２０は、携帯電話１０から送信されるコンテンツデータを受信する受信側移動機である。携帯電話２０は、機能的には、チェックリストＤＢ２１と、データリスト受信部２２と、データ互換性チェック部２３と、リクエストリスト生成部２４、リクエストリスト送信部２５と、データ受信部２６と、データ格納部２７とを備えて構成される。ここで、チェックリストＤＢ２１とデータ格納部２７とは、メモリ２０ｂに対応する。データリスト受信部２２と、データ互換性チェック部２３と、リクエストリスト生成部２４、リクエストリスト送信部２５と、データ受信部２６とは、メモリ２０ｂに格納されたソフトウェアがＣＰＵ２０ａによって実行されることにより実現する。以下、各構成要素について詳細に説明する。
【００６０】
チェックリストＤＢ２１（リスト格納手段に対応）には、携帯電話２０において携帯電話１０との互換性を有するコンテンツデータの一覧がチェックリストとして格納されている。
データリスト受信部２２（リスト受信手段に対応）は、携帯電話１０のデータリスト送信部１３から送信されるデータリストを受信する。
【００６１】
データ互換性チェック部２３は、データリスト受信部２２によって受信されたデータリストと、チェックリストＤＢ２１から取得されたチェックリストとを照合して、データリストに挙げられたコンテンツデータが携帯電話２０において互換性を有するか否かを判定する。
【００６２】
リクエストリスト生成部２４（データ選択手段に対応）は、データ互換性チェック部２３によるデータ互換性の判定結果に基づいて、データ互換性を有するコンテンツデータを選択し、選択されたコンテンツデータが記録されたリクエストリストを生成する。
【００６３】
リクエストリスト送信部２５は、リクエストリスト生成部２４によって生成されたリクエストリストを携帯電話１０に対して送信する。
データ受信部２６（データ受信手段に対応）は、携帯電話１０のデータ送信部１６から送信されたコンテンツデータを受信する。
データ格納部２７には、データ受信部２６によって受信されたコンテンツデータが格納される。
【００６４】
続いて、本実施形態における情報通信システムの動作について説明し、併せて、本発明に係る情報通信方法について説明する。図３は、情報通信システム１の動作を示すフローチャートである。情報通信システム１において、携帯電話１０から携帯電話２０にコンテンツデータを移行するに際して、まず、データリスト生成部１２によって、データ格納部１１に格納されているコンテンツデータのデータリストが生成される（Ｓ１）。
【００６５】
図４は、Ｓ１で生成されるデータリストの一例を示す図である。図４に示すように、データリスト生成部１２によって生成されたデータリスト１２１は、ＩＤ格納領域１２１ａと、ファイル名格納領域１２１ｂと、データ種別格納領域１２１ｃと、データ形式格納領域１２１ｄと、取得/更新年月日格納領域１２１ｅと、データサイズ格納領域１２１ｆと、オプションデータリスト番号格納領域１２１ｇとを有する。
【００６６】
ＩＤ格納領域１２１ａには、コンテンツデータを識別するために、データ格納部１１に格納されている全てのコンテンツデータに一意的に割り当てられた識別情報（例えば、“１”，“２”，…，“３６”）が「ＩＤ」として格納されている。
【００６７】
ファイル名格納領域１２１ｂには、データ格納部１１に格納されている各コンテンツデータに対応したファイルの名称（例えば、“A1.xxx”，“A2.xxx”，…，“D18.xxx”）が「ファイル名」として格納されている。
【００６８】
データ種別格納領域１２１ｃには、データ格納部１１に格納されている各コンテンツデータの種別を表す文字データ（例えば、“メール”，“スケジュール”，…，“music”）が「データ種別」として格納されている。
【００６９】
データ形式格納領域１２１ｄには、データ格納部１１に格納されている各コンテンツデータの出力形式（例えば、“規定形式”，“MFI”，…，“WMA”）が「データ形式」として格納されている。
【００７０】
取得/更新年月日格納領域１２１ｅには、データ格納部１１に格納されている各コンテンツデータが取得された年月日を示すデータ（例えば、“2002/1/10”，“2002/1/11”，…，“2002/2/13”）が格納されている。なお、取得後にコンテンツデータが更新されている場合には、更新された年月日を示すデータが格納されている。これらのデータは、「取得/更新年月日」として格納されている。
【００７１】
データサイズ格納領域１２１ｆには、データ格納部１１に格納されている各コンテンツデータのデータ容量（例えば、“10KB”，“1KB”，…，“20KB”）が「データサイズ」として格納されている。
【００７２】
オプションデータリスト番号格納領域１２１ｇには、所定の種別のコンテンツデータに対応する、より詳細な情報が格納されているデータリストの番号（例えば、“０”，“１”，“２”，“３”）が「オプションデータリスト番号」として格納されている。なお、データリスト１２１に記録されたデータ以外に参照すべき詳細な情報のないコンテンツデータに関しては、その旨を示す“−”がオプションデータリスト番号格納領域１２１ｇに格納されている。
【００７３】
図５は、コンテンツデータの種別が画像に関連する場合に参照されるデータが格納されているオプションデータリストの一例を示す図である。ここで、オプションデータリストには、画像関連データリストと、音楽関連データリストと、アプリ関連データリストとが含まれる。画像関連データリストは画像データに関する情報が記録されたデータリストであり、音楽関連データリストは音楽データに関する情報が記録されたデータリストであり、アプリ関連データリストはアプリケーションプログラムに関する情報（例えば、バージョン情報、ＡＰＩ（Application Program Interface）等の動作環境を示す情報）が記録されたデータリストである。図５に示すように、画像関連データリスト１２２は、ＩＤ格納領域１２２ａと、ファイル名格納領域１２２ｂと、解像度格納領域１２２ｃと、色数格納領域１２２ｄとを有する。
【００７４】
ＩＤ格納領域１２２ａには、コンテンツデータを識別するために、データ格納部１１に格納されている各コンテンツデータに一意的に割り当てられた識別情報（例えば、“１０”，“１１”，…，“３２”）が「ＩＤ」として格納されている。
【００７５】
ファイル名格納領域１２２ｂには、データ格納部１１に格納されている各コンテンツデータに対応したファイルの名称（例えば、“A10.xxx”，“B10.xxx”，…，“A17.xxx”）が「ファイル名」として格納されている。
【００７６】
解像度格納領域１２２ｃには、ＩＤ格納領域１２２ａに格納されているＩＤに対応するコンテンツデータを表示する際の解像度（単位はドット）を示す数値データ（例えば、“120×160”，“130×120”，…，“120×160”）が「解像度」として格納されている。
【００７７】
色数格納領域１２２ｄには、ＩＤ格納領域１２２ａに格納されているＩＤに対応するコンテンツデータを表示する際の色数を示す数値データ（例えば、“256”，“4096”，…，“4096”）が「色数」として格納されている。
【００７８】
また、図６は、コンテンツデータの種別が音楽に関連する場合に参照されるデータが格納されているオプションデータリストの一例を示す図である。図６に示すように、音楽関連データリスト１２３は、ＩＤ格納領域１２３ａと、ファイル名格納領域１２３ｂと、音数格納領域１２３ｃとを有する。
【００７９】
ＩＤ格納領域１２３ａには、コンテンツデータを識別するために、データ格納部１１に格納されている各コンテンツデータに一意的に割り当てられた識別情報（例えば、“２０”，“２２”，…，“３６”）が「ＩＤ」として格納されている。
【００８０】
ファイル名格納領域１２３ｂには、データ格納部１１に格納されている各コンテンツデータに対応したファイルの名称（例えば、“A14.xxx”，“C14.xxx”，…，“D18.xxx”）が「ファイル名」として格納されている。
【００８１】
音数格納領域１２３ｃには、ＩＤ格納領域１２３ａに格納されているＩＤに対応するコンテンツデータを再生する際の和音数を示す数値データ（例えば、“16”，“16”，“3”，…）が「音数」として格納されている。
【００８２】
更に、図７は、コンテンツデータの種別がJava（登録商標）アプリケーションに関連する場合に参照されるデータが格納されているオプションデータリストの一例を示す図である。図７に示すように、アプリ関連データリスト１２４は、ＩＤ格納領域１２４ａと、ファイル名格納領域１２４ｂと、ファイル属性格納領域１２４ｃとを有する。
【００８３】
ＩＤ格納領域１２４ａには、コンテンツデータを識別するために、データ格納部１１に格納されている各コンテンツデータに一意的に割り当てられた識別情報（例えば３２）が「ＩＤ」として格納されている。
【００８４】
ファイル名格納領域１２４ｂには、データ格納部１１に格納されている各コンテンツデータに対応したファイルの名称（例えばA17.xxx）が「ファイル名」として格納されている。
【００８５】
ファイル属性格納領域１２４ｃには、ＩＤ格納領域１２４ａに格納されているＩＤに対応するコンテンツデータの属性に関する情報が「ＡＤＦ（Attribute Definition File）ファイル」として格納されている。
【００８６】
図８は、データ格納部１１に格納されている、携帯電話１０に関する情報が記録されたデータリスト（以下、「移行元データリスト」と記す。）の一例を示す図である。以下、共通データリスト、オプションデータリスト、及び移行元データリストを纏めて単に「データリスト」と記す。図８に示すように、移行元データリスト１２５は、解像度格納領域１２５ａと、色数格納領域１２５ｂと、音数格納領域１２５ｃと、添付制限格納領域１２５ｄとを有する。
【００８７】
解像度格納領域１２５ａには、携帯電話１０の表示装置１０ｅが表示可能なコンテンツデータの解像度を示す数値データ（例えば120×160ドット以下）が「解像度」として格納されている。
【００８８】
色数格納領域１２５ｂには、携帯電話１０の表示装置１０ｅが表示可能なコンテンツデータの色数を示す数値データ（例えば65,536色以下）が「色数」として格納されている。
【００８９】
音数格納領域１２５ｃには、携帯電話１０の音声処理装置１０ｆが再生可能なコンテンツデータの和音の数を示す数値データ（例えば16和音以下）が「音数」として格納されている。
【００９０】
添付制限格納領域１２５ｄには、携帯電話１０の通信装置１０ｃがコンテンツデータを添付データとして送信する際の制限内容を示すデータ（例えば、受信最大１件、但し本文とは別に100KBまで）が「添付制限」として格納されている。
【００９１】
Ｓ２では、データリスト送信部１３によって、Ｓ１で生成されたデータリスト（共通データリストとオプションデータリストと移行元データリストとから成る）が、携帯電話２０に対して送信される。
Ｓ３では、データリスト送信部１３によって送信されたデータリストが、データリスト受信部２２によって受信される。
【００９２】
Ｓ４では、チェックリストＤＢ２１に格納されているチェックリストが参照され、データリスト受信部２２によって受信されたデータリストに記録されたコンテンツデータが携帯電話２０との互換性を有するか否かが判定される。
【００９３】
ここで、図９は、Ｓ４で参照されるチェックリストの一例を示す図である。図９に示すように、共通チェックリスト２１１は、ＩＤ格納領域２１１ａと、データ種別格納領域２１１ｂと、データ形式格納領域２１１ｃと、データサイズ格納領域２１１ｄとを有する。
【００９４】
ＩＤ格納領域２１１ａには、コンテンツデータの種別、データ形式、データサイズの内、少なくとも一つが異なるコンテンツデータ毎に割り当てられたレコードの識別情報（例えば、“１”，“２”，…，“２６”）が「ＩＤ」として格納されている。
【００９５】
データ種別格納領域２１１ｂには、携帯電話２０に移行可能なコンテンツデータの種別を表す文字データ（例えば、“メール”，“スケジュール”，…，“music”）が「データ種別」として格納されている。
【００９６】
データ形式格納領域２１１ｃには、携帯電話２０に移行可能なコンテンツデータの出力形式（例えば、“規定形式”，“AAC”，…，“ATRAC3”）が「データ形式」として格納されている。
【００９７】
データサイズ格納領域２１１ｄには、携帯電話２０に移行可能なコンテンツデータのデータ容量（例えば、“20KB以下”，“10KB以下”，…，“100KB以下”）が「データサイズ」として格納されている。
【００９８】
図１０は、チェックリストＤＢ２１に格納されている、携帯電話２０に関する情報が記録されたチェックリストの一例を示す図である。図１０に示すように、オプションチェックリスト２１２は、解像度格納領域２１２ａと、色数格納領域２１２ｂと、音数格納領域２１２ｃと、添付制限格納領域２１２ｄとを有する。
【００９９】
解像度格納領域２１２ａには、携帯電話２０の表示装置２０ｅが表示可能なコンテンツデータの解像度を示す数値データ（例えば120×160ドット以下）が「解像度」として格納されている。
【０１００】
色数格納領域２１２ｂには、携帯電話２０の表示装置２０ｅが表示可能なコンテンツデータの色数を示す数値データ（例えば65536色以下）が「色数」として格納されている。
【０１０１】
音数格納領域２１２ｃには、携帯電話２０の音声処理装置２０ｆが再生可能なコンテンツデータの和音数を示す数値データ（例えば16和音以下）が「音数」として格納されている。
【０１０２】
添付制限格納領域２１２ｄには、携帯電話２０の通信装置２０ｃがコンテンツデータを添付データとして受信する際の制限内容を示すデータ（例えば、受信最大１件、但し本文とは別に100KBまで）が「添付制限」として格納されている。
【０１０３】
図１１は、チェックリストＤＢ２１に格納されている、携帯電話２０のファイル容量チェックリストの一例を示す図である。図１１に示すように、ファイル容量チェックリスト２１３は、データ種別格納領域２１３ａと、上限数格納領域２１３ｂとを有する。
【０１０４】
データ種別格納領域２１３ａには、携帯電話２０に移行可能なコンテンツデータの種別を表す文字データ（例えば、“着信メロディ”，“イメージ”，…，“music”）が「データ種別」として格納されている。
【０１０５】
上限数格納領域２１３ｂには、データ種別格納領域２１３ａに格納されている種別のコンテンツデータを携帯電話２０に格納可能な上限の件数を示す数値データ（例えば、“２件”，“３件”，…，“２件”）が「上限数」として格納されている。以下、共通チェックリスト、オプションチェックリスト、及びファイル容量チェックリストを纏めて、単に「チェックリスト」と記す。
【０１０６】
以下、Ｓ４においてデータ互換性チェック部２３によって実行される互換性チェック処理について、図１２及び図１３を参照して詳細に説明する。まず、データ互換性チェック部２３によって、データリスト受信部２２によって受信されたデータリストがメモリに読み出される。すなわち、Ｓ４０１では共通データリストが、Ｓ４０２ではオプションデータリストが、Ｓ４０３では移行元データリストが、それぞれメモリに読み出される。
【０１０７】
次のＳ４０４では、互換性チェックの対象となるレコードのカウンタの初期値として“ｋ＝１”が設定される。Ｓ４０５では、ＩＤ＝ｋに対応するコンテンツデータのデータ種別、データ形式、及びデータサイズが、共通データリストから参照される。このとき、共通データリストが参照され、ｋの上限値としてｋ＝Ｎが設定される。
【０１０８】
Ｓ４０６では、共通チェックリストに記録されているデータを検索して、共通データリストに含まれるデータ種別とデータ形式とが、共通チェックリスト内に存在するか否かを判定する。
【０１０９】
Ｓ４０６において、上記データ種別及びデータ形式を有するコンテンツデータが共通チェックリスト内に存在する場合には、当該コンテンツデータのデータサイズが共通データリストから参照されると共に、当該データサイズが共通チェックリストに記録されている所定のデータサイズ以下であるか否かが判定される（Ｓ４０７）。
【０１１０】
Ｓ４０７において、上記データサイズが共通チェックリストに記録されている所定のデータサイズ以下である場合には、当該コンテンツデータのオプションデータリスト番号がオプションデータリストから参照されると共に、当該オプションデータリスト番号が１以上であるか否かが判定される（Ｓ４０８）。
【０１１１】
ここで、オプションデータリスト番号が１以上である場合には、Ｓ４０８で参照されたオプションデータリスト番号に対応するオプションデータリストがメモリに読み出される（Ｓ４０９）。続いて、メモリに読み出されたオプションデータリストに記録されているＩＤ＝ｋに対応する属性データと、オプションチェックリストに記録されている属性データとが照合される（Ｓ４１０）。
【０１１２】
照合の結果、オプションデータリストに記録されているＩＤ＝ｋに対応する全ての属性データが、オプションチェックリストに記録されている属性データ以下である場合には、ＩＤ＝ｋに対応するコンテンツデータが所定の制限範囲内にあるものと判断される（Ｓ４１１）。
【０１１３】
ここで、コンテンツデータが所定の制限範囲内にあると判断された場合には、データ互換性チェック結果に、ＩＤ＝ｋ、ファイル名、互換性○、データ種別、取得/更新年月日が出力される（Ｓ４１２）。
【０１１４】
続いて、互換性チェックの対象となるレコードのカウンタｋにｋ＋１が設定され（Ｓ４１３）、ｋ＝Ｎ＋１であるか否かが判定される。判定の結果、ｋ＝Ｎ＋１であれば、後述するＳ４１４に移行する。一方、ｋ＝Ｎ＋１でなければ、再びＳ４０５に戻り、Ｓ４０５〜Ｓ４１３までの一連の処理を繰り返し実行する。これにより、データリストに含まれる全てのコンテンツデータに対して互換性チェックが実行される。データリストに含まれる全てのコンテンツデータに対する互換性チェックが終了すると、データ互換性チェック結果が出力される（Ｓ４１４）。
【０１１５】
なお、Ｓ４０８における判定の結果、オプションデータリスト番号が“−”である場合には、Ｓ４０９〜Ｓ４１１の各処理を省略してＳ４１２以降の処理に移行する。また、Ｓ４０８における判定の結果、オプションデータリスト番号が“０”である場合には、移行元データリストがＩＤ＝ｋに対応する属性データとされると共に、当該属性データとオプションチェックリストに記録されている属性データとが照合される（Ｓ４１５）。
【０１１６】
照合の結果、ＩＤ＝ｋに対応する属性データとされた移行元データリストが、オプションチェックリストに記録されている属性データ以下である場合には、ＩＤ＝ｋに対応するコンテンツデータが所定の制限範囲内にあるものと判断される（Ｓ４１６）。ここで、コンテンツデータが所定の制限範囲内にあると判断された場合には、上述したＳ４１２に移行する。すなわち、データ互換性チェック結果に、ＩＤ＝ｋ、ファイル名、互換性○、データ種別、取得/更新年月日が出力される。
【０１１７】
また、Ｓ４０６において、上記データ種別及びデータ形式を有するコンテンツデータが共通チェックリスト内に存在しない場合には、互換性判定対象のコンテンツデータが携帯電話２０に移行できないものと判断され、データ互換性チェック結果に、ＩＤ＝ｋ、ファイル名、互換性×、データ種別、取得/更新年月日が出力される（Ｓ４１７）。
【０１１８】
同様に、Ｓ４０７において、上記データサイズが共通チェックリストに記録されている所定のデータサイズを超える場合には、互換性判定対象のコンテンツデータが携帯電話２０に移行できないものと判断され、データ互換性チェック結果に、ＩＤ＝ｋ、ファイル名、互換性×、データ種別、取得/更新年月日が出力される。
【０１１９】
更に、Ｓ４１１及びＳ４１６において、コンテンツデータが所定の制限範囲内にないものと判断された場合には、互換性判定対象のコンテンツデータを携帯電話２０に移行できないので、データ互換性チェック結果に、ＩＤ＝ｋ、ファイル名、互換性×、データ種別、取得/更新年月日が出力される。Ｓ４１７の終了後、Ｓ４１３以降の処理に移行する。
【０１２０】
図１４は、Ｓ４１４において出力されるデータ互換性チェック結果の一例を示す図である。図１４に示すように、データ互換性チェック結果２３１は、ＩＤ出力領域２３１ａと、ファイル名出力領域２３１ｂと、互換性結果出力領域２３１ｃと、データ形式出力領域２３１ｄと、取得/更新年月日出力領域２３１ｅとを有する。
【０１２１】
ＩＤ出力領域２３１ａには、互換性がチェックされたコンテンツデータを識別するために、データリストに記録された全てのコンテンツデータに一意的に割り当てられた識別情報（例えば、“１”，“２”，…，“３６”）が「ＩＤ」として出力されている。
【０１２２】
ファイル名出力領域２３１ｂには、データリストに記録された各コンテンツデータに対応するファイルの名称（例えば、“A1.xxx”，“A2.xxx”，…，“D18.xxx”）が「ファイル名」として出力されている。
【０１２３】
互換性結果出力領域２３１ｃには、上述したＳ４１２及びＳ４１７で出力された互換性のチェック結果を表す記号（例えば、“○”，“×”）が「互換性結果」として出力されている。
【０１２４】
データ形式出力領域２３１ｄには、上記各コンテンツデータを携帯電話２０が出力する際のデータ形式（例えば、“規定形式”，“MFI”，…，“WMA”）が「データ形式」として格納されている。
【０１２５】
取得/更新年月日出力領域２３１ｅには、上記各コンテンツデータが取得された年月日を示すデータ（例えば、“2002/1/10”，“2002/1/11”，…，“2002/2/13”）が出力されている。なお、取得後にコンテンツデータが更新されている場合には、更新された年月日を示すデータが出力されている。これらのデータは、「取得/更新年月日」として出力されている。
【０１２６】
続いてＳ５では、リクエストリスト生成部２４によって、携帯電話２０が携帯電話１０に対して送信を要求するコンテンツデータの一覧が記録されたリクエストリストが生成される。以下、図１５を参照して、リクエストリスト生成処理について詳細に説明する。
【０１２７】
まずＳ５０１では、データ互換性チェック部２３から出力されたデータ互換性チェック結果が、リクエストリスト生成部２４によって取得される。次のＳ５０２では、リクエストリストの生成に使用されるレコードのカウンタの初期値として“ｋ＝１”が設定される。次いで、ＩＤ＝ｋに対応するコンテンツデータの互換性チェック結果が、データ互換性チェック結果から参照される。このとき、データ互換性チェック結果が参照され、ｋの上限値としてｋ＝Ｎが設定される（Ｓ５０３）。
【０１２８】
Ｓ５０３における参照の結果、互換性チェック結果が“○”である場合には、対応するＩＤ＝ｋ、ファイル名、データ種別、取得/更新年月日の各データが互換性リクエストリストに出力される（Ｓ５０４）。続いて、リクエストリストの生成に使用されるレコードのカウンタｋにｋ＋１が設定され（Ｓ５０５）、ｋ＝Ｎ＋１であるか否かが判定される。判定の結果、ｋ＝Ｎ＋１であれば、後述するＳ５０６に移行する。一方、ｋ＝Ｎ＋１でなければ、再びＳ５０３に戻り、Ｓ５０３〜Ｓ５０５までの一連の処理を繰り返し実行する。これにより、携帯電話２０において互換性があると判定された全てのコンテンツデータに関して、互換性リクエストリストへのリストアップが為される。
【０１２９】
なお、Ｓ５０３における参照の結果、互換性チェック結果が“×”である場合には、Ｓ５０４の処理が省略されＳ５０５以降の処理に移行する。したがって、携帯電話２０において互換性がないと判定されたコンテンツデータに関して、対応するＩＤ＝ｋ、ファイル名、データ種別、取得/更新年月日の各データが互換性リクエストリストに出力されることはない。
【０１３０】
Ｓ５０６では、互換性リクエストリストに出力されたコンテンツデータに対応するファイルの数が計算され、計算結果がファイル容量互換性チェック結果に出力される。このとき出力される計算結果は、コンテンツデータの種別毎に合計された値である。
【０１３１】
ここで、図１６は、互換性リクエストリストの出力に際して出力されるリクエストリストの一例を示す図である。図１６に示すように、リクエストリスト２４１は、ＩＤ出力領域２４１ａと、ファイル名出力領域２４１ｂと、データ種別出力領域２４１ｃと、取得/更新年月日出力領域２４１ｄとを有する。
【０１３２】
ＩＤ出力領域２４１ａには、コンテンツデータを識別するために、携帯電話２０において互換性があると判定された各コンテンツデータに一意的に割り当てられた識別情報（例えば、“１”，“２”，…，“３６”）が「ＩＤ」として出力されている。
【０１３３】
ファイル名出力領域２４１ｂには、携帯電話２０において互換性があると判定されたコンテンツデータに対応したファイルの名称（例えば、“A1.xxx”，“A2.xxx”，…，“D18.xxx”）が「ファイル名」として出力されている。
【０１３４】
データ種別出力領域２４１ｃには、携帯電話２０において互換性があると判定されたコンテンツデータのデータ種別（例えば、“メール”，“スケジュール”，…，“music”）が「データ種別」として出力されている。
【０１３５】
取得/更新年月日出力領域２４１ｄには、上記各コンテンツデータが取得された年月日を示すデータ（例えば、“2002/1/10”，“2002/1/11”，…，“2002/2/13”）が出力されている。なお、取得後にコンテンツデータが更新されている場合には、更新された年月日を示すデータが出力されている。これらのデータは、「取得/更新年月日」として出力されている。
【０１３６】
図１７は、リクエストリスト２４１を参照して出力されたファイル容量互換性チェック結果の一例を示す図である。図１７に示すように、ファイル容量互換性チェック結果２４２は、データ種別出力領域２４２ａと、上限数出力領域２４２ｂと、合計データ数出力領域２４２ｃと、互換性データ数出力領域２４２ｄと、要削除数出力領域２４２ｅとを有する。
【０１３７】
データ種別出力領域２４２ａには、携帯電話２０において互換性があると判定された各コンテンツデータのデータ種別（例えば、“着信メロディ”，“イメージ”，…，“music”）が「データ種別」として出力されている。
【０１３８】
上限数出力領域２４２ｂには、携帯電話２０に移行可能なコンテンツデータ数の上限値を示すデータ（例えば、“２件”，“３件”，…，“２件”）がデータ種別毎に出力されている。
【０１３９】
合計データ数出力領域２４２ｃには、データリスト受信部２２によって受信されたデータリストに含まれていたコンテンツデータの数を示すデータ（例えば、“３件”，“７件”，…，“４件”）がデータ種別毎に出力されている。
【０１４０】
互換性データ数出力領域２４２ｄには、データリスト受信部２２によって受信されたデータリストに含まれていたコンテンツデータの内、データ互換性チェック部２３によって互換性があるものと判定されたコンテンツデータの数を示すデータ（例えば、“２件”，“４件”，…，“３件”）がデータ種別毎に出力されている。
【０１４１】
要削除数出力領域２４２ｅには、上限数出力領域２４２ｂに出力されている上限値を超えたため、削除する必要のあるコンテンツデータの数（例えば“１”）がデータ種別毎に出力されている。なお、削除する必要のあるコンテンツデータが存在しない場合には、要削除数出力領域２４２ｅには“−”が出力される。
【０１４２】
図１５に戻り、Ｓ５０７では、ファイル容量互換性チェック結果２４２の要削除数出力領域２４２ｅに出力されているコンテンツデータ数が１以上であるか否かが判定される。ここで、コンテンツデータ数が１以上である場合には、対応するデータ種別が参照され、上限数出力領域２４２ｂに出力されている数値を超えた数を除いた分のＩＤ及びファイル名がリクエストリストに出力される（Ｓ５０８）。なお、上限値を超えたため削除されるコンテンツデータは、取得/更新年月日の古い順に削除されることが好ましい。これにより、ユーザにとってより必要性の高いコンテンツデータが優先的に移行される。
【０１４３】
一方、コンテンツデータ数が１未満である場合には、上限値を超えたコンテンツデータがないので、対応するデータ種別が参照され、ＩＤ及びファイル名がリクエストリストに出力される（Ｓ５０９）。
【０１４４】
図１８は、Ｓ５０６において出力される互換性リクエストリストの一例を示す図である。図１８に示すように、互換性リクエストリスト２４３は、ＩＤ出力領域２４３ａとファイル名出力領域２４３ｂとを有する。
【０１４５】
ＩＤ出力領域２４３ａには、携帯電話１０から携帯電話２０に送信されるコンテンツデータを識別するために、各コンテンツデータに一意的に割り当てられた識別情報（例えば、“１”，“２”，…，“３６”）が「ＩＤ」として出力されている。
【０１４６】
ファイル名出力領域２４３ｂには、携帯電話１０から携帯電話２０に送信されるコンテンツデータに対応するファイルの名称（例えば、“A1.xxx”，“A2.xxx”，…，“D18.xxx”）が「ファイル名」として出力されている。
【０１４７】
図３に戻り、リクエストリスト生成処理が終了すると、リクエストリスト送信部２５によって携帯電話１０にリクエストリストが送信される（Ｓ６）。送信されたリクエストリストは、携帯電話１０のリクエストリスト受信部１４によって受信される（Ｓ７）。
【０１４８】
Ｓ８では、受信されたリクエストリストがデータ抽出部１５によって参照され、当該リクエストリストに記録されているＩＤ及びファイル名のコンテンツデータが、データ格納部１１から抽出される。抽出されたコンテンツデータは、データ送信部１６によって携帯電話２０に対して送信される（Ｓ９）。
【０１４９】
送信されたコンテンツデータは、携帯電話２０のデータ受信部２６によって受信される（Ｓ１０）。そして、受信されたコンテンツデータは、データ格納部２７に格納される（Ｓ１１）。
【０１５０】
以上説明したように、携帯電話１０から携帯電話２０にコンテンツデータを移行する際に、コンテンツデータの送信に先立って、携帯電話１０のデータ格納部１１に格納されているコンテンツデータのデータリストが、携帯電話１０から携帯電話２０に送信される。そして、データの互換性に基づいて携帯電話２０により選択されたデータが携帯電話２０に送信される。したがって、携帯電話１０に格納されている全てのデータを携帯電話２０に送信する場合に比べて送信されるデータの容量が少なくなり、使用する無線リソースを低減できる。また、携帯電話１０と携帯電話２０との間で互換性のないコンテンツデータが、携帯電話２０に格納されることがない。その結果、携帯電話間におけるデータの移行を効率よく行うことが可能となる。
【０１５１】
（第２の実施形態）
続いて、本発明の第２の実施形態における情報通信システムについて説明する。本実施形態における情報通信システムは、本発明に係る送信側移動機と受信側移動機とサーバ装置とを含んでいる。情報通信システムは、送信側移動機と受信側移動機との間におけるデータの送受信を、パーソナルコンピュータなどのサーバ装置を介して行う点において、第１の実施形態における情報通信システムと異なる。
【０１５２】
まず、本実施形態における情報通信システムの構成について説明する。情報通信システムは、データ移行元の携帯電話とデータ移行先の携帯電話とサーバ装置とを備えて構成される。各携帯電話のハードウェア構成は、図１を用いて説明した第１の実施形態における携帯電話１０，２０のハードウェア構成と同様である。
【０１５３】
図１９は、サーバ装置３００のハードウェア構成図である。携帯電話３００は、ＣＰＵ３００ａ、半導体メモリなどのメモリ３００ｂ、ハードディスクなどの格納装置３００ｃ、携帯電話１０及び携帯電話２０との間でデータの送受信を行う送受信装置３００ｄ、キーボード、マウスなどの入力装置３００ｅ、ディスプレイなどの表示装置３００ｆを備えて構成される。ここで、ＣＰＵ３００ａ、メモリ３００ｂ、通信装置３００ｃ、送受信装置３００ｄ、入力装置３００ｅ、表示装置３００ｆは、それぞれバス３００ｇによって接続されており、相互に通信可能となっている。
【０１５４】
図２０は、本実施形態における情報通信システム２のシステム構成図である。図２０に示すように、情報通信システム２の携帯電話１０は、第１の実施形態における携帯電話１０と基本的構成を同様とするが、リクエスト受信部１４の機能的構成において相違する。すなわち、リクエスト受信部１４は、サーバ装置３００からリクエストリストを受信するのではなく、データ格納部１１に格納されている全てのコンテンツデータの送信要求を受信する。なお、携帯電話２０は、第１の実施形態で詳述した携帯電話２０と基本的構成を同様とする。
【０１５５】
情報通信システム２のサーバ装置３００は、携帯電話１０から携帯電話２０へのデータの移行を中継するサーバ装置であって、機能的には、データリスト受信部３０１と、データリスト格納部３０２と、リクエスト送信部３０３と、データ受信部３０４と、データ格納部３０５と、データリスト送信部３０６と、リクエストリスト受信部３０７と、データ変換・加工部３０８と、データ抽出部３０９と、データ送信部３１０とを備えて構成される。以下、各構成要素について詳細に説明する。
【０１５６】
データリスト受信部３０１は、携帯電話１０のデータリスト送信部１３から送信されるデータリストを受信する。
データリスト格納部３０２には、データリスト受信部３０１によって受信されたデータリストが格納される。
【０１５７】
リクエスト送信部３０３は、携帯電話１０に対して、データ格納部１１に格納されている全てのコンテンツデータの送信を要求する。
データ受信部３０４（データ受信手段に対応）は、携帯電話１０のデータ送信部１６から送信されたコンテンツデータを受信する。
【０１５８】
データ格納部３０５には、データ受信部３０４によって受信されたコンテンツデータが格納される。
データリスト送信部３０６は、データリスト受信部３０１によって受信されたデータリストを携帯電話２０に対して送信する。
【０１５９】
リクエストリスト受信部３０７は、携帯電話２０のリクエストリスト送信部２５から送信されるリクエストリストを受信する。受信されるリクエストリストには、第１の実施形態で詳述した、データ互換性チェック結果２３１（図１４参照）と共通チェックリスト２１１（図９参照）とファイル容量互換性チェック結果２４２（図１７参照）とが少なくとも含まれる。
【０１６０】
データ変換・加工部３０８（データ変換手段に対応）は、リクエストリスト受信部３０７によって受信されたリクエストリストに含まれるデータ互換性チェック結果を参照して、互換性結果が“×”であるコンテンツデータを、携帯電話２０において互換性を有するコンテンツデータに変換及び加工する。
【０１６１】
データ抽出部３０９（データ抽出手段に対応）は、リクエストリスト受信部３０７によって受信されたリクエストリストを参照して、データ格納部１１に格納されているコンテンツデータの中から、携帯電話２０において互換性を有するコンテンツデータを選択して抽出する。
【０１６２】
データ送信部３１０（データ送信手段に対応）は、データ抽出部３０９によって抽出されたコンテンツデータを携帯電話２０に対して送信する。なお、情報通信システム２において実行される互換性チェック処理、リクエストリスト生成処理、データ抽出処理等の本実施形態における主要動作は、第１の実施形態で詳述したＳ４、Ｓ５、Ｓ８の各処理とそれぞれ同様であるので、その図示及び詳細な説明は省略する。
【０１６３】
以上説明したように、本実施形態における情報通信システム２によれば、携帯電話１０から携帯電話２０に対してコンテンツデータを移行する際に、サーバ装置３００を介して各種データの送受信を行う。すなわち、携帯電話２０は、データ互換性チェック結果２３１、データ互換性チェックリスト２１１、及びファイル容量互換性チェック結果２４２を含むリクエストリストをサーバ装置３００に対して送信する。
【０１６４】
サーバ装置３００は、受信したリクエストリストを参照して互換性のないコンテンツデータを変換又は加工する。その結果、データ容量の合計が所定の上限値を超える場合には、年月日の古いコンテンツデータから順に削除してデータ容量を減らし、携帯電話２０に送信する。サーバ装置３００がコンテンツデータを変換又は加工することにより、携帯電話１０で実行できないコンテンツデータが携帯電話２０において実行可能となる。これにより、情報通信システムにおけるデータ移行効率が向上する。
【０１６５】
（第３の実施形態）
続いて、本発明の第３の実施形態における情報通信システムについて説明する。本実施形態における情報通信システムは、本発明に係る送信側移動機と受信側移動機とサーバ装置とを含んでいる。本実施形態における情報通信システムは、上述した互換性チェック処理及びリクエストリスト生成処理を、パーソナルコンピュータなどのサーバ装置が行う点において、第２の実施形態における情報通信システムと異なる。
【０１６６】
まず、本実施形態における情報通信システムの構成について説明する。本実施形態における情報通信システムは、データ移行元の携帯電話とデータ移行先の携帯電話とサーバ装置とを備えて構成される。各携帯電話のハードウェア構成は、図１を用いて説明した第１の実施形態における携帯電話１０，２０のハードウェア構成と同様である。サーバ装置のハードウェア構成は、図１９を用いて説明した第２の実施形態におけるサーバ装置３００のハードウェア構成と同様である。
【０１６７】
図２１は、本実施形態にかかる情報通信システム３のシステム構成図である。情報通信システム３の携帯電話１０は、第１の実施形態における携帯電話１０と基本的構成を同様とする。また、本実施形態における携帯電話２０は、機能的には、第１の実施形態で詳述したデータ受信部２６とデータ格納部２７とを備えるが、チェックリストＤＢ２１、データリスト受信部２２、データ互換性チェック部２３、リクエストリスト生成部２４、リクエストリスト送信部２５を備えない。
【０１６８】
情報通信システム３のサーバ装置３２０は、携帯電話１０から携帯電話２０へのデータ移行を中継するサーバ装置であって、機能的には、チェックリストＤＢ３２１と、データリスト受信部３２２と、データ互換性チェック部３２３と、リクエストリスト生成部３２４と、リクエストリスト送信部３２５と、データ受信部３２６と、データ格納部３２７と、データ変換・加工部３２８と、データ抽出部３２９と、データ送信部３３０とを備えて構成される。以下、各構成要素について詳細に説明する。
【０１６９】
チェックリストＤＢ３２１（リスト格納手段に対応）には、携帯電話１０と携帯電話２０との間で互換性を有するコンテンツデータの一覧がチェックリストとして格納されている。
データリスト受信部３２２（リスト受信手段に対応）は、携帯電話１０のデータリスト送信部１３から送信されるデータリストを受信する。
【０１７０】
データ互換性チェック部３２３は、データリスト受信部３２２によって受信されたデータリストと、チェックリストＤＢ３２１から取得されたチェックリストとを照合して、データリストに挙げられたコンテンツデータが携帯電話２０においてデータ互換性を有するか否かを判定する。
【０１７１】
リクエストリスト生成部３２４（データ選択手段に対応）は、データ互換性チェック部３２３によるデータ互換性の判定結果に基づいてデータ互換性を有するコンテンツデータを選択し、選択されたコンテンツデータが記録されたリクエストリストを生成する。
リクエストリスト送信部３２５は、リクエストリスト生成部３２４によって生成されたリクエストリストを携帯電話１０に対して送信する。
【０１７２】
また、データ受信部３２６（データ受信手段に対応）と、データ格納部３２７と、データ変換・加工部３２８（データ変換手段に対応）と、データ抽出部３２９（データ抽出手段に対応）と、データ送信部３３０（データ送信手段に対応）とは、第２の実施形態において詳述したデータ受信部３０４と、データ格納部３０５と、データ変換・加工部３０８と、データ抽出部３０９と、データ送信部３１０とそれぞれ同様である。したがって、その詳細な説明は省略する。
【０１７３】
また、情報通信システム３において実行される互換性チェック処理、リクエストリスト生成処理、データ抽出処理等の本実施形態における主要動作は、第１の実施形態で詳述したＳ４、Ｓ５、Ｓ８の各処理とそれぞれ同様であるので、その図示及び詳細な説明は省略する。
【０１７４】
以上説明したように、本実施形態における情報通信システム３によれば、携帯電話１０から携帯電話２０に対してコンテンツデータを移行する際に、サーバ装置３２０を介して各種データの送受信を行う。この際に、サーバ装置３２０は、データリストの受信やコンテンツデータの送信のみならず、互換性チェック処理、リクエストリスト生成処理を実行する。すなわち、携帯電話２０が、互換性チェック処理及びリクエストリスト生成処理を実行することはない。したがって、上記各処理を実行する機能を有さない携帯電話に対しても、本発明に係るデータ移行処理を適用できる。また、上記各処理の実行に伴う携帯電話の処理負荷を軽減できる。
【０１７５】
なお、情報通信システム３は、複数の携帯電話に対してデータを移行する際にも適用可能であるが、この場合にはサーバ装置３２０は、データ移行先として想定される全ての携帯電話２０に対応したチェックリストをチェックリストＤＢに格納しておく必要がある。この場合、データ移行先の携帯電話と、使用されるチェックリストを特定するための機種名等の情報との対応関係は、サーバ装置３２０のユーザが設定する。
【０１７６】
（第４の実施形態）
第３の実施形態における情報通信システムは、移行先として想定される全ての携帯電話に対応したチェックリストを格納する不都合を回避するために、以下に示す変形態様をとることが好適である。
【０１７７】
以下、本発明の第４の実施形態における情報通信システムについて説明する。本実施形態における情報通信システムは、本発明に係る送信側移動機と受信側移動機とサーバ装置とを含んでいる。本実施形態における情報通信システムは、上述したチェックリストＤＢを受信側移動機が有する点において、第３の実施形態における情報通信システムと異なる。
【０１７８】
まず、本実施形態における情報通信システム４の構成について説明する。情報通信システム４は、携帯電話１０と携帯電話２０とサーバ装置３４０とを備えて構成される。携帯電話１０，２０のハードウェア構成は、図１を用いて説明した第１の実施形態における携帯電話１０，２０のハードウェア構成と同様である。サーバ装置３４０のハードウェア構成は、図１９を用いて説明した第２の実施形態におけるサーバ装置３００のハードウェア構成と同様である。
【０１７９】
図２２は、本実施形態にかかる情報通信システム４のシステム構成図である。情報通信システム４の携帯電話１０は、第１の実施形態において詳述した携帯電話１０と基本的構成を同様とする。また、本実施形態における携帯電話２０は、機能的には、第１の実施形態で詳述したチェックリストＤＢ２１とデータ受信部２６とデータ格納部２７とを備えると共に、チェックリスト送信部２８を新規に備える。チェックリスト送信部２８は、チェックリストＤＢ２１に格納されている、携帯電話２０に対応したチェックリストをサーバ装置３４０に送信する。
【０１８０】
サーバ装置３４０は、携帯電話１０から携帯電話２０へのデータの移行を中継するサーバ装置であって、機能的には、チェックリスト受信部３４１と、データリスト受信部３４２と、データ互換性チェック部３４３と、リクエストリスト生成部３４４と、リクエストリスト送信部３４５と、データ受信部３４６と、データ格納部３４７と、データ変換・加工部３４８と、データ抽出部３４９と、データ送信部３５０とを備えて構成される。以下、各構成要素について詳細に説明する。
【０１８１】
チェックリスト受信部３４１（チェックリスト受信手段に対応）は、携帯電話２０のチェックリスト送信部２８から送信されたチェックリストを受信する。
【０１８２】
また、データリスト受信部３４２（データリスト受信手段に対応）と、データ互換性チェック部３４３と、リクエストリスト生成部３４４（データ選択手段に対応）と、リクエストリスト送信部３４５とは、第３の実施形態において詳述したデータリスト受信部３２２と、データ互換性チェック部３２３と、リクエストリスト生成部３２４と、リクエストリスト送信部３２５とそれぞれ同様であるので、その詳細な説明は省略する。
【０１８３】
更に、データ受信部３４６（データ受信手段に対応）と、データ格納部３４７と、データ変換・加工部３４８（データ変換手段に対応）と、データ抽出部３４９（データ抽出手段に対応）と、データ送信部３５０（データ送信手段に対応）とは、第２の実施形態において詳述したデータ受信部３０４と、データ格納部３０５と、データ変換・加工部３０８と、データ抽出部３０９と、データ送信部３１０とそれぞれ同様であるので、その詳細な説明は省略する。
【０１８４】
また、情報通信システム４において実行される互換性チェック処理、リクエストリスト生成処理、データ抽出処理等の本実施形態における主要動作は、第１の実施形態で詳述したＳ４、Ｓ５、Ｓ８の各処理とそれぞれ同様であるので、その図示及び詳細な説明は省略する。
【０１８５】
以上説明したように、本実施形態における情報通信システム４によれば、携帯電話１０から携帯電話２０に対してコンテンツデータを移行する際に、サーバ装置３４０を介して各種データの送受信を行う。サーバ装置３４０は、互換性チェック処理及びリクエストリスト生成処理の実行に先立って、携帯電話２０に対応したチェックリストを携帯電話２０から受信する。すなわち、サーバ装置３４０は、チェックリストＤＢを備えない。このような構成では、サーバ装置３４０は、移行先として想定される全ての携帯電話２０に対応したチェックリストをチェックリストＤＢに格納しておく必要がないので、複数の携帯電話に対してデータを移行する場合に特に好適である。また、データの移行先である携帯電話の機種名等の情報を、携帯電話２０から送信されるチェックリストに含めることにより、サーバ装置３４０のユーザが機種名等の情報を設定することなく、使用されるチェックリストを特定できる。
【０１８６】
【発明の効果】
本発明によれば、送信側移動機から受信側移動機にデータを移行する際に、データの送信に先立って、送信側移動機に格納されているデータのデータリストが、送信側移動機から受信側移動機に送信される。そして、データの互換性に基づいて受信側移動機により選択されたデータが受信側移動機に送信される。したがって、送信側移動機に格納されている全てのデータを受信側移動機に送信する場合に比べて送信されるデータの容量が少なくなり、使用する無線リソースを低減できる。その結果、移動機間におけるデータの移行を効率よく行うことが可能となる。
【図面の簡単な説明】
【図１】携帯電話のハードウェア構成図である。
【図２】第１の実施形態における情報通信システムのシステム構成図である。
【図３】情報通信システムの処理を示すフローチャートである。
【図４】共通データリストの一例を示す図である。
【図５】画像関連データリストの一例を示す図である。
【図６】音楽関連データリストの一例を示す図である。
【図７】アプリ関連データリストの一例を示す図である。
【図８】移行元データリストの一例を示す図である。
【図９】共通チェックリストの一例を示す図である。
【図１０】オプションチェックリストの一例を示す図である。
【図１１】ファイル容量チェックリストの一例を示す図である。
【図１２】互換性チェック処理の前半部分を示すフローチャートである。
【図１３】互換性チェック処理の後半部分を示すフローチャートである。
【図１４】データ互換性チェック結果の一例を示す図である。
【図１５】リクエストリスト生成処理を示すフローチャートである。
【図１６】リクエストリストの一例を示す図である。
【図１７】ファイル容量互換性チェック結果の一例を示す図である。
【図１８】互換性リクエストリストの一例を示す図である。
【図１９】サーバ装置のハードウェア構成図である。
【図２０】第２の実施形態における情報通信システムのシステム構成図である。
【図２１】第３の実施形態における情報通信システムのシステム構成図である。
【図２２】第４の実施形態における情報通信システムのシステム構成図である。
【符号の説明】
１，２，３，４…情報通信システム、１０…携帯電話、１１…データ格納部、１２…データリスト生成部、１３…データリスト送信部、１４…リクエストリスト受信部、１５…データ抽出部、１６…データ送信部、２０…携帯電話、２１…チェックリストＤＢ、２２…データリスト受信部、２３…データ互換性チェック部、２４…リクエストリスト生成部、２５…リクエストリスト送信部、２６…データ受信部、２７…データ格納部、３００…サーバ装置、３０１…データリスト受信部、３０２…データリスト格納部、３０３…リクエスト送信部、３０４…データ受信部、３０５…データ格納部、３０６…データリスト送信部、３０７…リクエストリスト受信部、３０８…データ変換・加工部、３０９…データ抽出部、３１０…データ送信部
【図１】
0003676312.tif 000002
【図２】
0003676312.tif 000003
【図３】
0003676312.tif 000004
【図４】
0003676312.tif 000005
【図５】
0003676312.tif 000006
【図６】
0003676312.tif 000007
【図７】
0003676312.tif 000008
【図８】
0003676312.tif 000009
【図９】
0003676312.tif 000010
【図１０】
0003676312.tif 000011
【図１１】
0003676312.tif 000012
【図１２】
0003676312.tif 000013
【図１３】
0003676312.tif 000014
【図１４】
0003676312.tif 000015
【図１５】
0003676312.tif 000016
【図１６】
0003676312.tif 000017
【図１７】
0003676312.tif 000018
【図１８】
0003676312.tif 000019
【図１９】
0003676312.tif 000020
【図２０】
0003676312.tif 000021
【図２１】
0003676312.tif 000022
【図２２】
0003676312.tif 000023